(57)【特許請求の範囲】
【請求項１】
ユーザ端末より航空機の座席の予約と同時に、搭乗中に観たい映像ソフト・コンテンツの予約を受ける予約センタの予約サーバと、
予約センタの予約サーバから航空券予約情報とコンテンツ予約情報に基づき、コンテンツ予約映像ソフトの配信が要求されるコンテンツ配信センタのコンテンツサーバと、
コンテンツ配信センタのコンテンツサーバよりコンテンツ予約映像ソフトが配信される予約センタのコンテンツサーバと、
予約センタのコンテンツサーバから空港配信網の空港キャッシュサーバを経由して、ユーザ名／ユーザＩＤ／ユーザパスワード／搭乗クラス／搭乗日時／搭乗便コード／座席番号／予約映像ソフト・コンテンツ・コード／座席ＩＰアドレス／日時のユーザの予約データの属性データの全部又は一部と共にコンテンツ予約映像ソフトが蓄積される航空機内の管理サーバ機能及びコンテンツサーバ機能を有した機内キャッシュサーバと、
ユーザが入力したユーザＩＤとパスワードを受信し、前記ユーザＩＤとパスワードを使用して管理サーバ機能及びコンテンツサーバ機能を有した機内キャッシュサーバにアクセスして、予約したコンテンツを受信する航空機の座席端末と、
を備えたことを特徴とする航空機の乗客向けビデオ・オン・デマンド・サービス提供システム。
【請求項２】
航空機内の機内キャッシュサーバは、管理サーバ機能及びコンテンツサーバ機能を有し、１００〜３００コンテンツをキャッシング可能な能力の小規模キャッシュサーバを搭載し、空港の空港配信網の空港キャッシュサーバは、１，０００〜１０，０００コンテンツをキャッシング可能な能力の中規模キャッシュサーバを配置する事を特徴とする請求項１記載の航空機の乗客向けビデオ・オン・デマンド・サービス提供システム。
【請求項３】
機内キャッシュサーバは各座席端末と無線又は有線によって接続し、機内キャッシュサーバと空港キャッシュサーバも無線又は有線によって接続し、空港キャッシュサーバは、コンテンツ配信ネットワークと接続して、予約センタのコンテンツサーバからコンテンツ配信を受けることを特徴とする請求項１又は２記載の航空機の乗客向けビデオ・オン・デマンド・サービス提供システム。
【発明の詳細な説明】
【０００１】
【発明の属する技術分野】
本発明は、航空券予約及び映像コンテンツ配信技術に属し、航空機の乗客向けビデオ・オン・デマンド・サービス提供システムに関する。
【０００２】
【従来の技術】
従来の航空機の乗客向けの映像サービスは、放送型のサービスが提供されている。図１２は従来のビジネスのサービス形態を示す流れの説明図で、乗客（ユーザ）に映像サービスが無料で提供されている。すなわち、図１２に示すようなビジネス形態で、従来、航空会社が乗客に無料で飛行中に映像ソフトを提供しており、次の様なビジネスの流れである。
（１）ユーザ３１は、航空会社３２に航空券を予約し、航空会社３２に航空券料金を支払い、航空券を入手する。
（２）航空会社３２は、コンテンツ配給会社３３にコンテンツ使用料を支払う。
（３）航空会社３２は、コンテンツ配給会社３３からコンテンツ配信を受ける。
（４）ユーザ３１は、航空会社３２が指定した映画鑑賞の無料サービスの提供を受ける。
【０００３】
以上の従来のサービスでは、すでに観てしまった作品を飛行機の機内で上映される場合には、その様な乗客が迷惑なサービスと感じてしまい、乗客の全員にとって充分満足されるサービスとは言い難い。
【０００４】
なお、全乗客（ユーザ）の希望に答えるには、機内に確保できるスペースは限られ、格納出来る映像ソフトの数に限りがある。また映像配給会社（コンテンツ配給会社）への費用も、映像ソフト数につれ増加する。また、封切り中の映画を全て無料で提供しようとするとその費用負担が大幅に嵩み実現が困難である。
【０００５】
【発明が解決しようとする課題】
現在、乗客向けに映画やビデオが機内上映されているが、映画タイトルが１又は２種類程度で、コンテンツ数が限定されており、ユーザの希望する映画やビデオのタイトルを事前に確認して、ユーザ個々の希望する時にユーザ各自の席で上映するサービスを実現することが課題である。
【０００６】
本発明は上記の事情に鑑みてなされたもので、映画鑑賞の無料サービスに加え、魅力ある作品を有料で提供したり、搭乗クラス別に、無料で提供出来る作品の範囲や無料提供できる作品数のサービス内容を変え、ユーザの要求に合ったサービスの提供を可能とし、乗客に快適な時間を過ごせる様にして、その事を実施する事により、新ビジネスの展開が開ける航空機の乗客向けビデオ・オン・デマンド・サービス提供システムを提供することを目的とする。
【０００７】
【課題を解決するための手段】
上記目的を達成するために本発明の航空機の乗客向けビデオ・オン・デマンド・サービス提供システムは、ユーザ端末より航空機の座席の予約と同時に、搭乗中に観たい映像ソフト・コンテンツの予約を受ける予約センタの予約サーバと、予約センタの予約サーバから航空券予約情報とコンテンツ予約情報に基づき、コンテンツ予約映像ソフトの配信が要求されるコンテンツ配信センタのコンテンツサーバと、コンテンツ配信センタのコンテンツサーバよりコンテンツ予約映像ソフトが配信される予約センタのコンテンツサーバと、予約センタのコンテンツサーバから空港配信網の空港キャッシュサーバを経由して、ユーザ名／ユーザＩＤ／ユーザパスワード／搭乗クラス／搭乗日時／搭乗便コード／座席番号／予約映像ソフト・コンテンツ・コード／座席ＩＰアドレス／日時のユーザの予約データの属性データの全部又は一部と共にコンテンツ予約映像ソフトが蓄積される航空機内の管理サーバ機能及びコンテンツサーバ機能を有した機内キャッシュサーバと、ユーザが入力したユーザＩＤとパスワードを受信し、前記ユーザＩＤとパスワードを使用して管理サーバ機能及びコンテンツサーバ機能を有した機内キャッシュサーバにアクセスして、予約したコンテンツを受信する航空機の座席端末と、を備えたことを特徴とするものである。
【０００９】
また本発明は、前記航空機の乗客向けビデオ・オン・デマンド・サービス提供システムにおいて、航空機内の機内キャッシュサーバは、管理サーバ機能及びコンテンツサーバ機能を有し、１００〜３００コンテンツをキャッシング可能な能力の小規模キャッシュサーバを搭載し、空港の空港配信網の空港キャッシングサーバは、１，０００〜１０，０００コンテンツをキャッシング可能な能力の中規模キャッシュサーバを配置する事を特徴とするものである。
【００１０】
また本発明は、前記航空機の乗客向けビデオ・オン・デマンド・サービス提供システムにおいて、機内キャッシュサーバは各座席端末と無線又は有線によって接続し、機内キャッシュサーバと空港キャッシュサーバも無線又は有線によって接続し、空港キャッシュサーバは、コンテンツ配信ネットワークと接続して、予約センタのコンテンツサーバからコンテンツ配信を受けることを特徴とするものである。
【００１６】
【発明の実施の形態】
以下図面を参照して本発明の実施形態例を詳細に説明する。
【００１７】
図１は本発明の実施形態例に係るサービス形態を示す流れ説明図である。
【００１８】
図１（ａ）は航空会社が仲介業者となり映画鑑賞の無料サービスを行うケースである。
（１）ユーザ４１は、航空会社４２に航空券予約と同時に無料映画予約をし、航空会社４２に航空券料金を支払う。
（２）航空会社４２は、コンテンツ配信会社４３にコンテンツ使用料を支払う。
（３）航空会社４２は、コンテンツ配信会社４３からコンテンツ配信を受ける。
（４）ユーザ４１は、航空会社４２から航空券と無料映画鑑賞サービス提供を受ける。
【００１９】
図１（ｂ）は航空会社が仲介業者となり映画鑑賞の有料サービスを行うケースである。
（１）ユーザ４１は、航空会社４２に航空券予約と同時に有料映画予約をし、航空会社４２に航空券料金と映画鑑賞のサービス料金を支払う。
（２）航空会社４２は、コンテンツ配信会社４３にコンテンツ使用料を支払う。
（３）航空会社４２は、コンテンツ配信会社４３よりコンテンツ配信を受ける。
（４）ユーザ４１は、航空会社４２より航空券と有料映画鑑賞サービス提供を受ける。
【００２０】
図１（ｃ）はコンテンツ配信会社が仲介業者となり映画鑑賞の有料サービスを行うケースである。
（１）ユーザ４１は、航空会社４２に航空券予約と同時に有料映画予約を行い、航空会社４２に航空券料金のみを支払う。
（２）ユーザ４１は、コンテンツ配信会社４３に映画予約（有料）コンテンツ使用料を支払う。
（３）航空会社４２は、コンテンツ配信会社４３よりコンテンツ配信を受ける。
（４）ユーザ４１は、航空会社４２より航空券と有料映画鑑賞サービス提供を受ける。
【００２１】
図２及び図３は本発明の実施形態例に係るネットワーク構成１及び２を示す構成説明図である。
【００２２】
まず、次の各ブロックの構成要素について説明する。
（１）航空会社の予約センタ１
予約センタ１は、ｗｅｂサーバ２と予約サーバ３とコンテンツサーバ４と課金サーバ１７を含む構成である。課金サーバ１７は、例えば有料の映像ソフト・コンテンツの利用料を課金処理して航空券料金に加算して請求する。
（２）コンテンツ配信会社のコンテンツ配信センタ８
コンテンツ配信センタ８は、コンテンツサーバ９と課金サーバ１８を含む構成である。課金サーバ１８は、例えば有料の映像ソフト・コンテンツの利用料を課金処理して航空券料金とは別途に請求する。
（３）空港の空港配信網１０
空港配信網１０は、空港キャッシュサーバ１１を含む構成である。空港キャッシュサーバ１１は、例えば１，０００〜１０，０００コンテンツをキャッシング可能な能力の中規模キャッシュサーバを配置する。空港配信網１０には、空港有線配信網１０ａを用いる空港有線配信網方式と空港無線配信網１０ｂを用いる空港無線配信網方式がある。
（ａ）空港有線配信網方式
空港有線配信網方式は、空港有線配信網１０ａと航空機の機内の機内キャッシュサーバ１２を有線ＬＡＮで結んで機内キャッシュサーバ１２に配信を行う有線配信方式である。機内キャッシュサーバ１２は、例えば管理サーバ機能及びコンテンツサーバ機能を有し、１００〜３００コンテンツをキャッシング可能な能力の小規模キャッシュサーバを搭載する。
（ｂ）空港無線配信網方式
空港無線配信網方式は、空港無線配信網１０ｂと航空機の機内の機内キャッシュサーバ１２を無線ＬＡＮで結んで、空港無線配信網１０ｂ内の無線ＬＡＮ端末（空港親機）１９を経由して無線ＬＡＮ端末（空港子機）２０につながる機内キャッシュサーバ１２に配信する無線配信方式である。
（４）航空機内の機内配信網１６
機内配信網１６は、空港キャッシュサーバ１１に、複数のスイッチングハブ１３を経由して各座席の複数の座席端末１５が接続され、或いは無線ＬＡＮ端末（機内）１４を介して単独に座席端末１５が接続され、或いはスイッチングハブ１３を経由して座席端末１５が接続され、コンテンツ配信を受ける方式であり、機内配信網１６には、有線配信網１６ａでＬＡＮ配信されている有線配信網方式と、無線配信網１６ｂで一部又は全部がＬＡＮ配信されている無線配信網方式がある。
（ａ）有線配信網方式
機内有線配信網１６ａは、空港キャッシュサーバ１１に機内の複数の座席端末１５が全て有線ＬＡＮで接続され、複数のスイッチングハブ１３によりスイッチング分配され配信されている。
（ｂ）無線配信網方式
機内無線配信網１６ｂは、空港キャッシュサーバ１１に、無線ＬＡＮ端末（機内）１４により単独に座席端末１５が接続され、或いはスイッチングハブ１３を経由して座席端末１５がスイッチング分配され配信されている。
【００２３】
空港の空港配信網１０と航空機内の機内配信網１６のネットワーク構成は、次の４種類の方式がある。
（ａ）構成例１
空港有線配信網１０ａに機内有線配信網１６ａを組合せた配信システム。
（ｂ）構成例２
空港無線配信網１０ｂに機内無線配信網１６ｂを組合せた配信システム。
（ｃ）構成例３
空港有線配信網１０ａに機内無線配信網１６ｂを組合せた配信システム。
（ｄ）構成例４
空港無線配信網１０ｂに機内有線配信網１６ａを組合せた配信システム。
【００２４】
以上で各ブロックの構成要素とＣＤＮ（Ｃｏｎｔｅｎｔｓ  Ｄｅｌｉｖｅｒｒｙ  Ｎｅｔｗｏｒｋ）配信網７から機内の配信網までのシステム構成の組合せに関して説明した。
【００２５】
次に、各構成要素とネットワークの構成について説明する。
【００２６】
ユーザ端末６は、ＩＰ網５を経由して、ＣＤＮ配信網７にゲートウエイして航空会社の予約センタ１のＷｅｂサーバ２を経由して予約サーバ３に予約Ｗｅｂ画面で座席予約と同時にコンテンツ予約を行い、予約サーバ３は、航空会社の予約センタ１のコンテンツサーバ４からコンテンツ配信センタ８のコンテンツサーバ９にコンテンツ配信を要求し、航空会社の予約センタ１のコンテンツサーバ４はＣＤＮ配信網７を経由してコンテンツ配信を受ける。
【００２７】
予約サーバ３は、座席予約された航空機の座席の座席端末１５に予約コンテンツを予約便の搭乗中に座席端末１５からのユーザの要求により配信出来るように予約便の管理サーバ機能及びコンテンツサーバ機能を有した機内キャッシュサーバ１２に配信し、ユーザ名／ユーザＩＤ／ユーザパスワード／搭乗クラス／搭乗日時／搭乗便コード／座席番号／予約映像ソフト・コンテンツ・コード／座席ＩＰアドレス／日時などの属性ユーザデータの全部又は一部のデータと共にコンテンツ予約映像ソフトを配信され、そのデータを蓄積保存する。
【００２８】
次に、図４〜１１に基づき本発明の実施形態例のビジネスの流れについて各ステップ毎に説明する。
【００２９】
図４は本発明の実施形態例に係る予約Ｗｅｂ画面の表示例を示す説明図、図５は本発明の実施形態例に係るビジネス１（コンテンツ代金航空会社負担）のコンテンツ配信を示す構成説明図、図６は本発明の実施形態例に係るビジネス２（コンテンツ代金ユーザ負担、航空会社が代理徴収）のコンテンツ配信を示す構成説明図、図７は本発明の実施形態例に係るビジネス３（コンテンツ代金ユーザ負担、コンテンツ配信会社が徴収）のコンテンツ配信を示す構成説明図、図８は本発明の実施形態例に係るビジネス１（コンテンツ代金航空会社負担）のシーケンス図、図９は本発明の実施形態例に係るビジネス２（コンテンツ代金ユーザ負担、航空会社が代理徴収）のシーケンス図、図１０は本発明の実施形態例に係るビジネス３（コンテンツ代金ユーザ負担、コンテンツ配信会社が徴収）のシーケンス図、図１１は本発明の実施形態例に係る異なるステップを示すシーケンス図である。ビジネスの形態の違いにより、ステップ▲３▼の課金処理がビジネス１、ビジネス２、及びビジネス３により処理が違う。
【００３０】
ステップ▲１▼  座席の予約
（１）ユーザ端末６からＷｅｂサーバ３に座席予約ページ閲覧要求
（２）Ｗｅｂサーバ３からユーザ端末６に図４に示すような予約Ｗｅｂ画面のＷｅｂページ送信
（３）ユーザ端末６からＷｅｂサーバ３に搭乗クラスを決定して座席を予約
ステップ▲２▼  コンテンツ予約処理
（１）Ｗｅｂサーバ３経由で予約サーバ２からユーザ端末６に予約搭乗クラスのコンテンツページを送信
（２）ユーザ端末６から予約サーバ２に選択したコンテンツを予約
ステップ▲３▼  代金徴収及び予約終了通知
＊ビジネス１の場合：コンテンツ代金は、航空会社負担
（１）代金徴収をしないため、課金サーバの課金処理はなし
（２）予約サーバ２からユーザ端末６に予約終了を通知
＊ビジネス２の場合：コンテンツ代金は、ユーザ負担／航空会社代理徴収
（１）航空会社の予約センタ１の課金サーバ１７が課金処理
（２）予約サーバ２からユーザ端末６に予約終了を通知
＊ビジネス３の場合：コンテンツ代金は、ユーザ負担／コンテンツ配信会社徴収
（１）コンテンツ配信会社の課金サーバ１８が課金処理
（２）予約サーバ２からユーザ端末６に予約終了を通知
ステップ▲４▼  予約センタのコンテンツサーバにコンテンツ蓄積
（１）予約センタ１のコンテンツサーバ４からコンテンツ配信センタ８のコンテンツサーバ４に、予約コンテンツを要求
（２）コンテンツ配信センタ８のコンテンツサーバ４から予約センタ１のコンテンツサーバ４にコンテンツ配信し、蓄積処理
ステップ▲５▼  空港キャッシュサーバにコンテンツ配信
（１）航空会社のコンテンツサーバ４から空港配信網１０の空港キャッシュサーバ１１にコンテンツ配信
ステップ▲６▼  航空機の機内キャッシュサーバにコンテンツ蓄積
（１）飛行機の空港配信網１０の空港キャッシュサーバ１１から航空機内の機内キャッシュサーバ１２にコンテンツ配信し、蓄積
ステップ▲７▼  航空機内の座席端末にコンテンツ配信
（１）座席端末１４から機内キャッシュサーバ１２に配信案内要求
（２）機内キャッシュサーバ１２から座席端末１４に配信案内送信
（３）座席端末１４から機内キャッシュサーバ１２に配信要求
（４）機内キャッシュサーバ１２から座席端末１４にコンテンツをストリーミング配信
更に、次の処理も行うことが出来る。
【００３１】
ステップ▲７▼−１  座席端末変更
もし、予約した座席を変更の場合には、
（１）配信希望の座席端末１４から機内キャッシュサーバ１２に、変更画面を要求
（２）変更画面で、旧座席番号とユーザＩＤとユーザパスワードを入力して配信座席端末変更
ステップ▲７▼−２  コンテンツ配信追加
もし、有料コンテンツサービスを新たに希望する場合には、
（１）配信希望の座席端末１４から機内キャッシュサーバ１２に、コンテンツ配信追加を要求し、機内キャッシュサーバ１２のコンテンツの蓄積リストにあるコンテンツを選択、クレジットカード番号を入力して課金を承認
（２）機内キャッシュサーバ１２は座席端末１４に課金確認して機内キャッシュサーバ１２に課金記録
ステップ▲８▼  飛行中の課金記録を課金サーバに転送
もし、飛行中に課金記録があると、
（１）飛行機内の機内キャッシュサーバ１２は飛行機の着陸時に空港キャッシュサーバ１１を経由して、航空会社の予約センタ１の課金サーバ１７に課金記録を転送し、クレジットカード課金処理を行う。
【００３２】
以上のように本発明の実施形態例に係る航空機の乗客向けビデオ・オン・デマンド・サービス提供システムは、ユーザからユーザ端末６によりＷｅｂ上で航空機の座席の予約と同時に、搭乗中に観たい映画などの映像ソフト・コンテンツをユーザの座席ＩＰアドレスに配信を受けられる様に航空会社の予約センタ１に予約され、予約センタ１は該航空券予約情報と該コンテンツ予約情報に基づき、ユーザの搭乗に合わせてコンテンツ配信センタ８にコンテンツ予約映像ソフトの配信を要求し、コンテンツ配信センタ８のコンテンツサーバ９より予約センタ１のコンテンツサーバ４にコンテンツ予約映像ソフトが配信され、予約センタ１のコンテンツサーバ４は、ユーザの搭乗に合わせ空港配信網１０の空港キャッシュサーバ１１を経由して、ユーザの搭乗予約した便の航空機内の管理サーバ機能及びコンテンツサーバ機能を有した機内キャッシュサーバ１２にユーザ名／ユーザＩＤ／ユーザパスワード／搭乗クラス／搭乗日時／搭乗便コード／座席番号／予約映像ソフト・コンテンツ・コード／座席ＩＰアドレス／日時などのユーザの予約データの属性データの全部又は一部と共にコンテンツ予約映像ソフトを蓄積して、ユーザが好きな時間に座席端末１４より映画などの該予約映像ソフト・コンテンツを予約座席の座席端末１４に配信を受けて視聴することが出来るコンテンツ配信サービスを提供する。
【００３３】
なお、ユーザが航空券予約と同時に搭乗中に観たい映像ソフト・コンテンツ・タイトルをコンテンツ・タイトル・リストを表示し、その表示画面の内リストより予約選択し、ファーストクラス、ビジネスクラス、エコノミークラスなどの搭乗クラスにより予約出来る映像ソフト作品名や予約出来る作品数の範囲を設定できる。
【００３４】
また、ユーザが、予約座席番号と異なる座席番号に移動して、予約したコンテンツ配信を受けようとする場合に、登録済みのユーザＩＤとユーザパスワードを使用して新座席端末１４より管理サーバ機能及びコンテンツサーバ機能を有した機内キャッシュサーバ１２にアクセスして、アクセスした座席端末１４にユーザが予約したコンテンツ配信を受ける。
【００３５】
また、ユーザが事前予約していないコンテンツの配信を希望した場合に、ユーザＩＤ及びユーザパスワードによる登録により、キャッシュサーバ１２の蓄積コンテンツリストの範囲に限り、別途料金を支払う事で追加サービスを受けられる。
【００３６】
【発明の効果】
以上説明したように本発明によれば、次のような効果がある。
【００３７】
ユーザに対する効果：  航空機の座席予約と同時に搭乗中に観たいコンテンツを予約しておくだけで簡単に予約が出来て、ユーザが機内で好きな時間に映画を見たり、読書したり、休養を取ったり、ユーザ個々が極力束縛されずに少しでも自由な時間を気ままに、気分良く過ごせる。
航空会社に対する効果：  他の交通機関と比較して長距離の移動の為に多くの時間を費やす必要が要求される航空機関において、ユーザを退屈させることなく快適な移動時間を提供できる、本サービスにより顧客確保とサービスの差別化の面で大きな効果が期待できる。ユーザの要求した映画などの映像コンテンツのみをキャッシュサーバに配送するので、コンテンツ配送の無駄も省け、コンテンツを格納するキャッシュサーバなどのハードディスクなどのメモリ機器の節約につながる。
コンテンツ配信会社に対する効果：  航空会社を対象にしたコンテンツ配信ビジネスが新たなビジネスの展開として期待できる。
【図面の簡単な説明】
【図１】本発明の実施形態例に係るサービス形態を示す流れ説明図である。
（ａ）航空会社が仲介業者として映画鑑賞の無料サービスを行うケースである。
（ｂ）航空会社が仲介業者として映画鑑賞の有料サービスを行うケースである。
（ｃ）コンテンツ配信業者が仲介業者として映画鑑賞の有料サービスを行うケースである。
【図２】本発明の実施形態例に係るネットワーク構成１を示す構成説明図である。
（ａ）構成例１
（ｂ）構成例２
【図３】本発明の実施形態例に係るネットワーク構成２を示す構成説明図である。
（ｃ）構成例３
（ｄ）構成例４
【図４】本発明の実施形態例に係る予約Ｗｅｂ画面の表示例を示す説明図である。
【図５】本発明の実施形態例に係るビジネス１（コンテンツ代金航空会社負担）のコンテンツ配信を示す構成説明図である。
【図６】本発明の実施形態例に係るビジネス２（コンテンツ代金ユーザ負担、航空会社が代理徴収）のコンテンツ配信を示す構成説明図である。
【図７】本発明の実施形態例に係るビジネス３（コンテンツ代金ユーザ負担、コンテンツ配信会社が徴収）のコンテンツ配信を示す構成説明図である。
【図８】本発明の実施形態例に係るビジネス１（コンテンツ代金航空会社負担）のシーケンス図である。
【図９】本発明の実施形態例に係るビジネス２（コンテンツ代金ユーザ負担、航空会社が代理徴収）のシーケンス図である。
【図１０】本発明の実施形態例に係るビジネス３（コンテンツ代金ユーザ負担、コンテンツ配信会社が徴収）のシーケンス図である。
【図１１】本発明の実施形態例に係る異なるステップを示すシーケンス図である。
【図１２】従来のビジネスのサービス形態を示す流れの説明図である。
【符号の説明】
１  予約センタ
２  Ｗｅｂサーバ
３  予約サーバ
４，９  コンテンツサーバ
５  ＩＰ網
６  ユーザ端末
７  ＣＤＮ配信網
８  コンテンツ配信センタ
１０  空港配信網
１０ａ  空港有線配信網
１０ｂ  空港無線配信網
１１  空港キャッシュサーバ
１２  機内キャッシュサーバ
１３  スイッチングハブ
１４  無線ＬＡＮ端末（機内）
１５  座席端末
１６  機内配信網
１６ａ  機内有線配信網
１６ｂ  機内無線配信網
１７，１８  課金サーバ
１９  無線ＬＡＮ端末（空港親機）
２０  無線ＬＡＮ端末（空港子機）
【図１】
0004005355.tif 000002
【図２】
0004005355.tif 000003
【図３】
0004005355.tif 000004
【図４】
0004005355.tif 000005
【図５】
0004005355.tif 000006
【図６】
0004005355.tif 000007
【図７】
0004005355.tif 000008
【図８】
0004005355.tif 000009
【図９】
0004005355.tif 000010
【図１０】
0004005355.tif 000011
【図１１】
0004005355.tif 000012
【図１２】
0004005355.tif 000013